(57)【特許請求の範囲】
【請求項１】
障子を開閉可能に支持する開口枠を有し、浴室出入口に備えられる建具であって、
前記開口枠の縦枠は、前記開口枠の下枠の見込み面に連結される縦枠本体と、該縦枠本体の浴室側見付け面に装着される縦枠アタッチメントとを有し、
前記縦枠本体の見込み面と前記下枠の見込み面との間には第１止水材が挟持され、
前記下枠の浴室側見付け面を形成する部分の肉厚部分の端面が前記第１止水材に当接しており、
前記下枠の浴室側見付け面には、前記縦枠アタッチメントの見込み面から前記縦枠本体の見込み面まで達する凹部が長手方向に亘って形成されており、
前記凹部に第２止水材を設けたことを特徴とする建具。
【請求項２】
請求項１記載の建具において、
前記第２止水材は、前記凹部から前記縦枠アタッチメントの浴室側見付け面まで延在していることを特徴とする建具。
【請求項３】
請求項２記載の建具において、
前記下枠は、浴室の床面を構成する防水パンに対して下枠受け材を介して支持されるものであり、
前記下枠受け材には、前記凹部と対向し、前記第２止水材を保持する止水材受け部が長手方向に亘って形成されていることを特徴とする建具。
【請求項４】
請求項３記載の建具において、
前記下枠受け材には、前記止水材受け部の浴室側に並ぶように設けられたポケット部が長手方向に亘って形成されており、
前記ポケット部には、その先端が前記下枠に当接することで、前記下枠の凹部と前記下枠受け材の止水材受け部との間に設けられた前記第２止水材を上方から覆う水密材が設けられていることを特徴とする建具。
【請求項５】
請求項１〜４のいずれか１項に記載の建具において、
前記縦枠アタッチメントの浴室側見付け面と前記下枠の浴室側見付け面とが面一に配置されていることを特徴とする建具。
【発明の詳細な説明】
【技術分野】
【０００１】
本発明は、浴室出入口に設けられる建具に関する。
【背景技術】
【０００２】
通常、浴室と脱衣室との間を仕切る浴室出入口には、開口枠で障子を開閉可能に支持した建具が設けられる。この種の建具では、浴室側の水が脱衣室側や躯体側へと浸入することを防ぐ必要があり、特に水が浸入し易い下枠周辺には各種の防水構造が採用されている。
【０００３】
例えば特許文献１には、浴室出入口を形成する開口枠の下枠と、浴室側の床パン（防水パン）との間に下枠受け材を設けた構成において、下枠と下枠受け材との間に水封止部材（止水材）を挟持させた構成が開示されている。
【先行技術文献】
【特許文献】
【０００４】
【特許文献１】特許第３７８８９８９号公報
【発明の概要】
【発明が解決しようとする課題】
【０００５】
ところで、上記のような浴室出入口に設けられる開口枠の縦枠として、縦枠本体とこの縦枠本体に装着する縦枠アタッチメントとからなる分割構造のものを用いると、設置する建物の状態やユーザの要望に応じて開口枠の外観形状を変更することができ、低コストで高い汎用性が得られる。ところが、このような分割構造の縦枠の場合、縦枠本体と縦枠アタッチメントとの間に嵌合部分が生じるため、この嵌合部分及びその周辺に対しても十分な防水構造を設ける必要がある。
【０００６】
本発明は、上記従来技術の課題を考慮してなされたものであり、浴室出入口に設けられる開口枠の縦枠を分割構造で構成した場合であっても十分な防水性能を確保することができる建具を提供することを目的とする。
【課題を解決するための手段】
【０００７】
本発明に係る建具は、障子を開閉可能に支持する開口枠を有し、浴室出入口に備えられる建具であって、前記開口枠の縦枠は、前記開口枠の下枠の見込み面に連結される縦枠本体と、該縦枠本体の浴室側見付け面に装着される縦枠アタッチメントとを有し、前記縦枠本体の見込み面と前記下枠の見込み面との間には第１止水材が挟持され、前記下枠の浴室側見付け面を形成する部分の肉厚部分の端面が前記第１止水材に当接していることを特徴とする。
【０００８】
このような構成によれば、下枠の浴室側見付け面を形成する部分の肉厚部分の端面と、縦枠本体の見込み面との間に第１止水材を確実に挟持することができる。このため、分割構造からなる縦枠を用いた場合であっても下枠と縦枠との間に浴室側の水が浸入することを防止でき、十分な防水性能を確保できる。
【０００９】
本発明に係る建具において、前記下枠の浴室側見付け面には、前記縦枠アタッチメントの見込み面から前記縦枠本体の見込み面まで達する凹部が長手方向に亘って形成されており、前記凹部に第２止水材を設けた構成としてもよい。そうすると、左右の縦枠アタッチメントと縦枠本体との境界部分が第２止水材で確実に防水されるため、下枠と縦枠との間への浸水を一層確実に防止できる。
【００１０】
本発明に係る建具において、前記第２止水材は、前記凹部から前記縦枠アタッチメントの浴室側見付け面まで延在している構成であってもよい。そうすると、一方の縦枠アタッチメントから下枠を経て他方の縦枠アタッチメントまで延びた開口枠の浴室側見付け面における各隙間からの浸水が第２止水材によって確実に防止される。
【００１１】
本発明に係る建具において、前記下枠は、浴室の床面を構成する防水パンに対して下枠受け材を介して支持されるものであり、前記下枠受け材には、前記凹部と対向し、前記第２止水材を保持する止水材受け部が長手方向に亘って形成された構成であってもよい。そうすると、浴室側の水が下枠受け材と開口枠の浴室側見付け面との間に浸入し、さらに縦枠アタッチメントと縦枠本体との境界部分に浸入することを防止できる。
【００１２】
本発明に係る建具において、前記下枠受け材には、前記止水材受け部の浴室側に並ぶように設けられたポケット部が長手方向に亘って形成されており、前記ポケット部には、その先端が前記下枠に当接することで、前記下枠の凹部と前記下枠受け材の止水材受け部との間に設けられた前記第２止水材を上方から覆う水密材が設けられた構成であってもよい。そうすると、浴室側からの水が下枠受け材と開口枠の浴室側見付け面との間に浸入することをより確実に抑制でき、さらに第２止水材を水密材によって覆い隠すことができるため当該建具の見栄えが向上する。
【００１３】
本発明に係る建具において、前記縦枠アタッチメントの浴室側見付け面と前記下枠の浴室側見付け面とが面一に配置されている構成であってもよい。そうすると、当該建具の見栄えが向上する。なお、この場合の面一とは、両者の面同士が完全に一致している状態以外、例えば若干の寸法誤差等によって僅かな段差を有する状態も含む概念であることは言うまでもない。
【発明の効果】
【００１４】
本発明によれば、分割構造からなる縦枠を用いた場合であっても下枠と縦枠との間に浴室側の水が浸入することを防止でき、十分な防水性能を確保できる。
【図面の簡単な説明】
【００１５】
【図１】図１は、本発明の一実施形態に係る建具を浴室側から見た正面図である。
【図２】図２は、図１に示す建具の縦断面図である。
【図３】図３は、図１に示す建具の横断面図である。
【図４】図４は、下枠と縦枠との間の防水構造を説明するための要部拡大断面図であり、図４（Ａ）は、横断面図であり、図４（Ｂ）は、縦断面図である。
【図５】図５は、折戸を省略した状態での下枠と縦枠との間の防水構造を説明するための図であり、図５（Ａ）は、建具の下部での横断面図であり、図５（Ｂ）は、建具の下部を浴室側から見た正面図である。
【発明を実施するための形態】
【００１６】
以下、本発明に係る建具について好適な実施の形態を挙げ、添付の図面を参照しながら詳細に説明する。
【００１７】
図１は、本発明の一実施形態に係る建具１０を浴室側から見た正面図である。図２は、図１に示す建具１０の縦断面図であり、図３は、図１に示す建具１０の横断面図である。
【００１８】
本実施形態に係る建具１０は、ユニットバス等で構成される浴室の出入口に設けられて浴室と脱衣室との間を仕切る開閉扉であり、浴室の開口部に固定される開口枠１２の内側に折戸１４を開閉可能に支持して構成される。
【００１９】
図１〜図３に示すように、開口枠１２は、上枠１２ａと、下枠１２ｂと、左右の縦枠１２ｃ，１２ｄとを四周枠組みすることで矩形の開口部を形成したものである。開口枠１２は、下枠１２ｂと左右の縦枠１２ｃ，１２ｄとの連結部分に防水構造１６を備える。
【００２０】
図２に示すように、上枠１２ａは、アルミニウム等の金属材料の押出形材であり、折戸１４の上端部を案内するレール１８がその長手方向に沿って連続して設けられている。上枠１２ａは、浴室側の壁面２０及び脱衣室側の額縁２２に対して固定される。また、上枠１２ａの両端部には縦枠１２ｃ，１２ｄの見込み面が連結される。
【００２１】
下枠１２ｂは、アルミニウム等の金属材料の押出形材であり、折戸１４の下端部を案内するレール１９がその長手方向に沿って連続して設けられている。下枠１２ｂは、脱衣室側の床材２４に対して固定され、同時に浴室（ユニットバス）の床面を構成する防水パン２６に対して下枠受け材２８を介して支持される。また、下枠１２ｂの両端部には縦枠１２ｃ，１２ｄの見込み面が連結される。
【００２２】
防水パン２６は、例えばＦＲＰ（繊維強化プラスチック）製の一体成形品であり、建物躯体に固定される。下枠受け材２８は、アルミニウム等の金属材料の押出形材であり、防水パン２６に対して水密材２９を介して支持される。また、下枠受け材２８と下枠１２ｂとの間は上記した防水構造１６によって止水される。図２に示すように、浴室側の床面となる防水パン２６の上面と脱衣室側の床面となる床材２４の上面との間は、下枠受け材２８及び下枠１２ｂによって脱衣室側が多少高位置となる状態で略平坦に形成される。
【００２３】
図３に示すように、一方の縦枠１２ｃは、下枠１２ｂの見込み面に連結される縦枠本体３０と、縦枠本体３０の浴室側見付け面に装着される縦枠アタッチメント３２とを有する分割構造である。
【００２４】
縦枠本体３０は、アルミニウム等の金属材料の押出形材であり、浴室側の壁面２０及び脱衣室側の額縁２２に対して固定される共に、その見込み面が下枠１２ｂの見込み面と連結される。縦枠本体３０の見込み面には、開口枠１２の内方へと突出したヒレ部３０ａが設けられている。ヒレ部３０ａには折戸１４に当接する水密材が設けられる。縦枠本体３０の浴室側見付け面には、縦枠アタッチメント３２を装着するための嵌合溝３０ｂが上下方向に亘って形成されている。
【００２５】
縦枠アタッチメント３２は、断面略Ｌ字状に形成されたアルミニウム等の金属材料の押出形材である。縦枠アタッチメント３２のＬ字の一片は、縦枠本体３０を浴室側の壁面２０に固定する固定ねじと共に該壁面２０に固定される。縦枠アタッチメント３２のＬ字の他片には、縦枠本体３０の嵌合溝３０ｂに嵌合可能な一対の嵌合片３２ａ，３２ａが上下方向に亘って形成されている。縦枠アタッチメント３２と浴室側の壁面２０との間は水密材３３によって止水される。
【００２６】
他方の縦枠１２ｄは、下枠１２ｂの見込み面に連結される縦枠本体３４と、縦枠本体３４の浴室側見付け面に装着される縦枠アタッチメント３６とを有する分割構造である。
【００２７】
縦枠本体３４は、上記した縦枠１２ｃの縦枠本体３０と同一構造且つ同一形状であって左右対称に配設されるものであり、見込み面にヒレ部３０ａを有し、浴室側見付け面に嵌合溝３０ｂを有する。縦枠アタッチメント３６は、上記した縦枠１２ｃの縦枠アタッチメント３２よりも幅狭な形状であり、縦枠本体３４の嵌合溝３０ｂに嵌合可能な嵌合片３２ａを有し、縦枠本体３４の浴室側見付け面のみを覆う形状である。縦枠アタッチメント３６と浴室側の壁面２０との間は水密材３３によって止水される。
【００２８】
このように本実施形態では、左右の縦枠１２ｃ，１２ｄを互いの縦枠アタッチメント３２，３６の形状の違いによって非対称構造としているが、互いの縦枠アタッチメント３２，３６を同一形状とし、縦枠１２ｃ，１２ｄを対称構造とすることもできる。つまり、当該建具１０では、左右の縦枠１２ｃ，１２ｄを分割構造としたことにより、左右共通の縦枠本体３０，３４に対し、形状を変更した縦枠アタッチメント３２，３６を装着するだけで建物の状態やユーザの要望に応じた縦枠形状を構築することができ、低コストで高い汎用性が得られる。
【００２９】
図１〜図３に示すように、折戸１４は、２枚の障子３８，３９を有し、開口枠１２の内側に設置されることで浴室と脱衣室との間を開閉可能に仕切る。
【００３０】
折戸１４は、２枚の障子３８，３９を連結框４０によって二つ折り可能に連結した構成である。戸先側となる障子３８は、四周の上框３８ａ、下框３８ｂ、戸先框３８ｃ及び縦框３８ｄとを框組みして構成され、内側に面材４１を保持している。吊元側となる障子３９は、四周の上框３９ａ、下框３９ｂ、吊元框３９ｃ及び縦框３９ｄとを框組みして構成され、内側に面材４１を保持している。中央の縦框３８ｄ，３９ｄは連結框４０に回動可能に連結され、これにより２枚の障子３８，３９が折り畳み可能に連結される。面材４１は、例えば、透光性を有する樹脂やガラス等の薄板である。
【００３１】
戸先側の障子３８には、その脱衣室側の面に縦框３８ｄから延びたハンドル４２が設けられ、吊元側の障子３９には、その浴室側の面に吊元框３９ｃと縦框３９ｄとの間に亘ったハンドル４３が設けられている。ハンドル４２，４３は、折戸１４を開き操作又は閉じ操作する際に操作者が手をかける部分である。
【００３２】
次に、このような建具１０に設けられる防水構造１６の構成及び作用について説明する。
【００３３】
図４は、下枠１２ｂと縦枠１２ｃ（１２ｄ）との間の防水構造１６を説明するための要部拡大断面図であり、図４（Ａ）は、横断面図であり、図４（Ｂ）は、縦断面図である。図５は、折戸１４を省略した状態での下枠１２ｂと縦枠１２ｃ（１２ｄ）との間の防水構造１６を説明するための図であり、図５（Ａ）は、建具１０の下部での横断面図であり、図５（Ｂ）は、建具１０の下部を浴室側から見た正面図である。図４（Ａ）及び図４（Ｂ）では、下枠１２ｂと縦枠１２ｃ（１２ｄ）の見込み方向での位置関係と縮尺を一致させて図示しており、図５（Ａ）及び図５（Ｂ）では、下枠１２ｂと縦枠１２ｃ（１２ｄ）の見付け方向での位置関係と縮尺を一致させて図示している。
【００３４】
なお、上記した通り、縦枠１２ｃ，１２ｄは縦枠アタッチメント３２，３６の形状が異なるものの基本的には対称形状であって防水構造１６についても同様なものを適用可能であるため、以下では代表的に縦枠１２ｃ側の防水構造１６について説明し、縦枠１２ｄ側についての詳細な説明は省略する。
【００３５】
先ず、防水構造１６では、図４（Ａ）及び図４（Ｂ）に示すように、縦枠本体３０の見込み面と下枠１２ｂの見込み面との間に、例えばゴムシートからなる止水材（第１止水材）５０が挟持される。止水材５０は、例えば下枠１２ｂの見込み面に亘って貼着された状態でその上から縦枠本体３０の見込み面が貼着される。
【００３６】
なお、建具１０では、縦枠本体３０と下枠１２ｂとの間は、例えば工場等で事前に組付けられ、縦枠本体３０と縦枠アタッチメント３２とは施工現場で後付けで組付けられる。すなわち、縦枠本体３０に対して縦枠アタッチメント３２を装着した状態で工場から施工現場等に運搬した場合、両者の嵌合部分でがたつきや破損を生じる懸念があるため、両者は分割状態で運搬される。このため、止水材５０は、下枠１２ｂと重なる縦枠本体３０の見込み面に亘って配設されるが、後付けの縦枠アタッチメント３２の部分までは延出されていない。換言すれば、止水材５０は、縦枠１２ｃの浴室側見付け面となる縦枠アタッチメント３２の浴室側見付け面３２ｂより脱衣室側に該縦枠アタッチメント３２の肉厚分だけオフセットした位置にその浴室側端面が配設される。
【００３７】
一方、下枠１２ｂの浴室側見付け面５２ａは、縦枠１２ｃの浴室側見付け面となる縦枠アタッチメント３２の浴室側見付け面３２ｂと面一に設定されている。下枠１２ｂと縦枠１２ｃの浴室側見付け面を揃え、見栄えを確保するためである。
【００３８】
このため、仮に下枠１２ｂの浴室側見付け面５２ａを形成する部分５２の肉厚ｔ１（肉厚部分ｔ１）が、縦枠アタッチメント３２の浴室側見付け面３２ｂを形成する部分の肉厚と同一以下である場合には、下枠１２ｂの最も浴室側に位置する部分５２の肉厚部分ｔ１の端面（小口端面）と縦枠本体３０との間で止水材５０を挟持することができない状態となる。そうすると、止水材５０による防水効果が低下し、下枠１２ｂと縦枠１２ｃとの間に浴室側からの水が浸入する懸念がある。
【００３９】
そこで、当該建具１０の防水構造１６では、下枠１２ｂの浴室側見付け面５２ａを形成する部分５２の肉厚部分ｔ１を、縦枠アタッチメント３２の見込み面から縦枠本体３０の見込み面まで対向するように他の部位よりも厚肉に構成している。すなわち、下枠１２ｂの部分５２の肉厚部分ｔ１は、縦枠アタッチメント３２の見込み面から縦枠本体３０の見込み面の一部までを包含する厚みに設定・配置されている。これにより、下枠１２ｂの部分５２の肉厚部分ｔ１の端面が止水材５０に当接し、止水材５０を下枠１２ｂの部分５２の肉厚部分ｔ１の端面と縦枠本体３０との間で確実に挟持することができ、下枠１２ｂと縦枠１２ｃとの間への浸水を防止できる。なお、下枠１２ｂは、部分５２の肉厚部分ｔ１の端面が止水材５０に当接していれば止水材５０による防水効果は得られる。このため、例えば縦枠アタッチメント３２と下枠１２ｂの浴室側見付け面３２ｂ，５２ａが互いに位置ずれしており、下枠１２ｂの浴室側見付け面５２ａ付近に縦枠本体３０の見込み面が配置された構造の場合には、部分５２の肉厚ｔ１は他の部位と同様に薄肉であってもよい。
【００４０】
防水構造１６では、さらに、下枠１２ｂの浴室側見付け面５２ａに脱衣室側に凹んだ凹部５２ｂをその長手方向に亘って設けている（図４（Ａ）〜図５（Ｂ）参照）。凹部５２ｂは、縦枠アタッチメント３２の見込み面から縦枠本体３０の見込み面の一部までを包含するように、浴室側見付け面５２ａから縦枠本体３０の見込み面まで達する深さを有する。凹部５２ｂには、シリコーン等の不定形シーリング材で形成された止水材（第２止水材）５４が配設される。この凹部５２ｂを設けたことにより、この凹部５２ｂを含む部分での下枠１２ｂの部分５２の肉厚ｔ２（肉厚部分ｔ２）は、肉厚ｔ１よりもさらに厚肉となるため、その端面をより確実に止水材５０に当接させることができ、下枠１２ｂと縦枠１２ｃとの間への浸水をより確実に防止できる。
【００４１】
図５（Ａ）及び図５（Ｂ）に示すように、止水材５４は、一方の縦枠アタッチメント３２の浴室側見付け面３２ｂから、下枠１２ｂの凹部５２ｂへと延び、さらに他方の縦枠アタッチメント３６の浴室側見付け面３２ｂまで延在している。この際、下枠１２ｂと左右の縦枠１２ｃ，１２ｄとの接合部分では、止水材５４は、凹部５２ｂによって縦枠アタッチメント３２（３６）の見込み面から縦枠本体３０（３４）の見込み面まで入り込むように設けられ、止水材５０と接続される。これにより、一方の縦枠アタッチメント３２から下枠１２ｂを経て他方の縦枠アタッチメント３６まで延びた開口枠１２の浴室側見付け面における各隙間からの浸水が止水材５０によって確実に防止される。さらに、縦枠アタッチメント３２（３６）と縦枠本体３０（３４）との境界部分が止水材５４で確実に防水されるため、下枠１２ｂと縦枠１２ｃとの間への浸水を一層確実に防止できる。
【００４２】
図４（Ａ）〜図５（Ｂ）に示すように、下枠受け材２８には、下枠１２ｂの凹部５２ｂと対向する位置に止水材５４が設けられる段状の止水材受け部２８ａが長手方向に亘って形成されている。その結果、浴室側の水が下枠受け材２８と、一方の縦枠アタッチメント３２から下枠１２ｂを経て他方の縦枠アタッチメント３６までの開口枠１２の浴室側見付け面との間に浸入し、さらに縦枠アタッチメント３２（３６）と縦枠本体３０（３４）との境界部分に浸入することをより確実に防止できる。
【００４３】
さらに、下枠受け材２８には、止水材受け部２８ａの浴室側に並ぶようにポケット部２８ｂが形成されている。ポケット部２８ｂは、下枠受け材２８の上面に開口した狭幅な凹部であり、下枠受け材２８の長手方向に亘って延在している。
【００４４】
ポケット部２８ｂには、その先端が下枠１２ｂの浴室側見付け面５２ａの上部に当接し、下枠１２ｂの凹部５２ｂと下枠受け材２８の止水材受け部２８ａとの間に設けられた止水材５４を上方から覆い隠す水密材５６が設けられている。水密材５６は、例えばゴムや樹脂で形成されたタイト材と呼ばれるヒレ状の部材である。この水密材５６を設けることにより、浴室側からの水が下枠受け材２８と開口枠１２の浴室側見付け面との間に浸入することをより確実に抑制でき、さらに止水材５４が外観上に露出することが防止されるため建具１０の見栄えが向上する。
【００４５】
このような建具１０では、防水効果をさらに確保するため、下枠受け材２８と下枠１２ｂとの間の下部にも水密材５８，５９を設けている。水密材５８，５９は、例えば下枠受け材２８と下枠１２ｂとを取り付ける際に両者間に挟持される定形又は不定形のシーリング材である。水密材５８は止水材５４と一体にすることも可能である。さらに、縦枠アタッチメント３２，３６と浴室の壁面２０との間にも、上記した止水材５４と同様な止水材６０を塗布している。
【００４６】
なお、本発明は、上記した実施形態に限定されるものではなく、本発明の主旨を逸脱しない範囲で自由に変更できることは勿論である。
【００４７】
例えば上記実施形態では、開口枠１２で折戸１４を支持する構成を例示したが、折戸１４に代えて、引戸や開き戸を用いてもよい。
【符号の説明】
【００４８】
１０  建具、１２  開口枠、１２ａ  上枠、１２ｂ  下枠、１２ｃ，１２ｄ  縦枠、１４  折戸、１６  防水構造、２０  壁面、２２  額縁、２４  床材、２６  防水パン、２８  下枠受け材、２８ａ  止水材受け部、２８ｂ  ポケット部、２９，３３，５６，５８，５９  水密材、３０，３４  縦枠本体、３０ｂ  嵌合溝、３２，３６  縦枠アタッチメント、３２ａ  嵌合片、３２ｂ，５２ａ  浴室側見付け面、３８，３９  障子、５０，５４，６０  止水材、５２  部分、５２ｂ  凹部
【図１】
0006437341.tif 000002
【図２】
0006437341.tif 000003
【図３】
0006437341.tif 000004
【図４】
0006437341.tif 000005
【図５】
0006437341.tif 000006